(57)【特許請求の範囲】
【請求項１】
金属電極層と、
該金属電極層と接合される半導体層と、
該半導体層と接合される透明電極層と、
該透明電極層と接合される透光率制御層とが順次形成されて、導電性基板に配設されるとともに、
前記透明電極層に設けられた集電電極と、前記金属電極とに電気的に接続された前記透光率制御層制御ＩＣが前記導電性基板に配設されて、
前記制御ＩＣは、前記半導体層における発電量計測手段と、
計測した発電量とメモリ部に記憶した発電量の初期設定値との比較手段と、該比較手段で比較を行うタイミングとなる時間の経過を計測するタイマー手段と、を備えた演算手段を有するとともに、
前記制御ＩＣにより設置当初の最高出力が経年後における予め定めた所定の出力量になるよう透光率が制御される一方、
前記制御ＩＣは、少なくとも前記最高出力の値を調整した回数データ、
発電量の制御内容データ、  
を前記メモリ部に蓄積し、
最高出力の値の調整を行う都度、これらのデータを前記演算手段により確認し、発電量の制御内容データが同じものが３回連続した場合には、該３回目のデータを確認したときに、前記発電量の初期設定値を、前記連続する方向に所定の大きさだけ減少又は増加させて発電量の調節を行うよう構成されたことを特徴とする太陽電池。
【発明の詳細な説明】
【技術分野】
【０００１】
本発明は、太陽電池に関し、特に太陽電池における出力変動の緩和機能を有した太陽電池に係る。
【背景技術】
【０００２】
太陽電池の構造としては、従来から種々構造が開示されている。例えば、特許文献１においては、複数の導電性基板上に形成した太陽電池素子を集積化した太陽電池モジュールが記載されている。該太陽電池モジュールに用いられる太陽電池素子は、導電性基板１０６上に金属電極層１０８、半導体層１０９、透明電極層１１０を順次形成した構造となっている。
【０００３】
太陽電池が設置される場所は、基本的に日照量が多く見込まれる場所であることが多い。産業的には砂漠に集中的に設置されたり、個々の消費者的には住宅の屋根の上などに設置されることが多い。
【０００４】
太陽電池は、一旦設置されると、１０年程度或いはそれ以上使用されることが多い。太陽電池は太陽光の照射を受けて、光電効果の一種である光起電力効果により光エネルギーを電気に変換するものであり、その変換材料として半導体を用いることから、長期的に見た場合、該半導体の劣化に伴い前記変換の効率が低下し、太陽電池の性能に影響を及ぼす。
【０００５】
半導体の劣化要因としては、例えば、強い光が長期間に亘って照射されることが挙げられる。強い光が照射されると、太陽電池に用いる半導体中のダングリングボンド（未結合手）が増加し、該半導体中の格子欠陥密度が増加することにより導電率が低下し、太陽電池としての出力が低下していく。また、太陽電池は屋外で使用されるために、日照とともに太陽電池の温度が上昇し、高温になってくると（約７０度〜８０度）前記半導体のバンドギャップ（禁制帯幅）が減少することにより、太陽電池の出力電圧が低下することがある。
【０００６】
そこで、経時変化に対して安定な光起電力素子を提供するものとして、例えば、特許文献２に記載されたものがある。特許文献２は、太陽電池の半導体層を、有機半導体であるポリシラン化合物を用いて構成し、さらに屈折率調整剤を前記有機半導体層の膜圧方向に沿って予め分布させたうえで構成したことが記載されている。
【０００７】
屈折率調整剤としては、CaF2，LiF等の無機化合物、Be，Mg等の金属、エボナイト、こはく等の有機化合物、合成樹脂が用いられ、これらを粉体又は超微粒子の形で前記ポリシラン化合物中に単独又は混合して前記有機半導体層の膜圧方向に沿って分布させることにより、比較的広範囲の波長成分の光を吸収できる様になり、経時変化に対して安定な光起電力素子を提供できることが記載されている。
【先行技術文献】
【特許文献】
【０００８】
【特許文献１】特開平３−２３９３７７号公報  第２図
【特許文献２】特開平４−１９９６８７号公報
【発明の概要】
【発明が解決しようとする課題】
【０００９】
このような光起電力素子においては、従来の光起電力素子と比べて経時変化に対する光劣化が減少することが期待できる。しかしながら、光劣化の速度を遅らせるものであるから、長期間における光起電力の性能維持という観点で見た場合には、設置当初の状態からは徐々に半導体の劣化が進むことにより、それに応じて徐々に光起電力の低下が生ずることは避けられないものである。
また、半導体の劣化が起こった場合には、通常光起電力が復元することはないため、太陽電池の使用期間に相当する１０年〜１５年程度の期間で見ると、発電量の低下はコストパフォーマンスに大きく影響してくる。特に、将来に亘って気候の温暖化や気候変動などが想定した以上に進み日照量が大きくなってくるような場合、半導体の光劣化が想定した以上に進み、使用しているうちに期待した発電量が得られなくなるおそれがある。即ち、当初予定していた使用可能期間が短くなってしまう可能性がある。
【００１０】
そこで、本発明は、上記課題に鑑みてなされたもので、太陽電池としての最高出力を長期間に亘り一定に保持するとともに、設置時以降の気候変動などに応じて適宜最高出力の値の増減を調整し、安定した出力を行える太陽電池を提供することを目的とする。
【課題を解決するための手段】
【００１１】
本発明に係る太陽電池は、上述の課題を解決すべく構成されたもので、
金属電極層と、該金属電極層と接合される半導体層と、該半導体層と接合される透明電極層と、該透明電極層と接合される透光率制御層とが順次形成されて、導電性基板に配設されるとともに、
前記透明電極層に設けられた集電電極と、前記金属電極とに電気的に接続された前記透光率制御層制御ＩＣが前記導電性基板に配設されて、
前記制御ＩＣは、前記半導体層における発電量計測手段と、
計測した発電量とメモリ部に記憶した発電量の初期設定値との比較手段と、該比較手段で比較を行うタイミングとなる時間の経過を計測するタイマー手段と、を備えた演算手段を有するとともに、
前記制御ＩＣにより設置当初の最高出力が経年後における予め定めた所定の出力量になるよう透光率が制御される一方、
前記制御ＩＣは、少なくとも前記最高出力の値を調整した回数データ、
発電量の制御内容データ、
を前記メモリ部に蓄積し、
最高出力の値の調整を行う都度、これらのデータを前記演算手段により確認し、発電量の制御内容データが同じものが３回連続した場合には、該３回目のデータを確認したときに、前記発電量の初期設定値を、前記連続する方向に所定の大きさだけ減少又は増加させて発電量の調節を行うよう構成されたことを特徴として太陽電池を構成するとよい。
【００１２】
かかる構成によれば、太陽電池を設置して使用開始後、予め定めた発電量の初期設定値よりも発電量が大きな場合には、発電量が初期設定値に近づくよう、透光率制御層の透光率を小さくする制御を行うことにより、太陽電池に必要以上の光を照射させず、太陽電池としての最高出力を長期間に亘り一定に保持するとともに、設置時以降の気候変動などに応じて適宜最高出力の値を調整し、安定した出力を行える太陽電池を提供することができる。
【００１３】
削除
【００１４】
また、日照量が低くなる方向に気候変動が発生しているような場合、太陽電池の出力が初期設定値よりも低くなることにより、当初想定した出力が得られなくなることを是正し、安定した出力を行える太陽電池を提供することができる。
【００１５】
削除
【００１６】
また、長期的に見た気候変動などの傾向を、日照量が増加する方向若しくは日照量が減少する方向の連続する回数で予測し、発電量の初期設定値を前記予測に応じて増減させるよう制御するから、太陽電池を構成する半導体に過度な負荷をかけずに、長期的な気候に応じて安定した出力を行える太陽電池を提供することができる。。
【発明の効果】
【００１７】
以上の如く、本発明によれば、長期的に見た気候変動の傾向を適宜反映させた発電量となるよう発電量の設定値を是正する制御を行うことにより、太陽電池としての最高出力を長期間に亘り一定に保持するとともに、設置時以降の気候変動などに応じて適宜最高出力の値の増減を調整して、安定した出力を行える太陽電池を提供することができる。
【図面の簡単な説明】
【００１８】
【図１】第１の実施形態を示す太陽電池素子の概略構成図を示す。
【図２】同実施形態に係る透光率制御層の概略構成図を示す。
【図３】同実施形態に係る制御ＩＣのブロック構成図を示す。
【図４】同実施形態に係る発電量の変化を示す。
【図５】同実施形態に係る経時的な透光率の制御の仕方を示す。
【図６】太陽電池に係る出力電流と出力電圧の特性図を示す。
【図７】太陽電池を複数接続して設けた図を示す。
【図８】第２の実施形態に係る発電量及び透光率の変化を示す。
【発明を実施するための形態】
【００１９】
次に本発明の実施形態を図１乃至図６を用いて詳細に説明する。
【００２０】
（太陽電池の説明）
図１は、本発明における太陽電池の第１の実施形態を示した概略構成図である。図１は、太陽電池１における層状構成をなす太陽電池素子の断面を示したもので、該太陽電池素子は、導電性基板１０１上に層状に形成される。該導電性基板１０１上には、金属電極層１０２と、該金属電極層１０２と接合される半導体層１０３と、該半導体層１０３と接合される透明電極層１０４と、該透明電極層１０４と接合される透光率制御層１０５とが順次層状に形成される。
【００２１】
また、前記導電性基板１０１上には、前記透光率制御層１０５を制御するための制御ＩＣ１０６が配設され、該制御ＩＣ１０６は、前記透明電極層に設けられた集電電極１０７と、前記金属電極層１０２とに電気的に接続されて電源を得る。
【００２２】
前記制御ＩＣ１０６は、前記半導体層における発電量を計測して、該発電量が予め定めた初期設定値以上になっている場合には、初期設定値に近づくよう、発電量を減少させる方向に、前記透光率制御層１０５における透光率を小さくする制御を行うものである。また、該発電量が予め定めた初期設定値以下になっている場合には、初期設定値に近づくよう、発電量を増加させる方向に、前記透光率制御層１０５における透光率を大きくする制御を行うものである。
【００２３】
図３には、制御ＩＣ１０６のブロック構成図を示した。
制御ＩＣ１０６には、前記電極から電源を得るための電源入力部１０６１と、該電源入力部に入力された電圧を基に半導体層における発電量を計測するための発電量計測部１０６３１と、
予め初期設定値として設定した発電量データを記憶させたメモリ部１０６３３と、
時間の経過をカウントするタイマー部１０６３４と、
所定の間隔で前記比較手段による比較演算を行う比較部１０６３２と、
比較部１０６３２による比較結果に応じて前記透光率制御層１０５における透光率を制御する電源出力部１０６２を備える。
【００２４】
前記発電量計測部１０６３１は、電源入力部１０６１に入力される電圧値、電流値をＡ／Ｄ変換によってデジタルデータ化し、前記比較部１０６３２に出力する。
【００２５】
前記比較部１０６３２は、所定の間隔で、メモリ部１０６３３から発電量データを読み出して、発電量計測部１０６３１にて計測された電圧値、電流値データと比較した結果、発電量が初期設定値である発電量データよりも大きな場合には、比較部１０６３２からの出力信号を受けて前記透光率制御層１０５における透光率を小さくする制御を行う。
【００２６】
また、発電量が初期設定値である発電量データよりも小さな場合には、比較部１０６３２からの出力信号を受けて前記透光率制御層１０５における透光率を大きくする制御を行う。
【００２７】
また、タイマー部１０６３４は経時的に時間のカウントを行うもので、前記比較部１０６３２にて比較を行うタイミングとなる前記所定の時間としては、数時間毎、１日毎、１週間毎、１カ月毎など適宜時間の経過に基づく設定とするとよい。
【００２８】
また、時間の経過に基づくタイミングの他、前記発電量計測部１０６３１にて計測された電圧値、電流値の計測データの時間的な変化を計測し、本来想定していた発電量の変化（Ｐｏ〜ＰＢ）に対して大きな変化（例えば２倍以上の変化）が発生したときを、前記比較部１０６３２にて比較を行うタイミングとしてもよい。予め定めた時間の経過に加えて、発電量が実際に大きく変化したときを比較演算のタイミングとすることで、半導体層への必要以上の日照を早期に防止でき、半導体層の光劣化を防止することができる。
【００２９】
前記透光率制御層１０５は、前記半導体層１０３に照射される光の透過率の大小を制御するもので、これにより前記半導体層１０３への太陽光の照射量の大小が制御される。本実施例では、電圧を印加することにより分子の配向を変化させる液晶を用いて構成している。
【００３０】
（透光率制御層の説明）
図２に、前記透光率制御層１０５の概略構成図を示した。図２は、透光率制御層１０５の断面を示したもので、該透光率制御層１０５は、前記透明電極層１０４上に層状に形成される。透光率制御層１０５は、前記透明電極層１０４に接合される偏光板１０５１と、該偏光板１０５１に接合される透明電極層１０５２と、該透明電極層１０５２と接合され２つの配向層１０５３、１０５４に挟まれる液晶層１０５５と該液晶層１０５５に接合される透明電極層１０５６と、該透明電極層１０５６に接合される偏光板１０５７とにより層状に形成される。
【００３１】
前記透光率制御層１０５における透明電極１０５２、１０５６は、前記制御ＩＣ１０６と電気的に接続される。前記液晶１０５５は、制御ＩＣ１０６から電源の印加状態を制御されることにより該液晶１０５５の配向を変化させられる。
【００３２】
（制御の説明）
次に、図４乃至図６を用いて、前記制御ＩＣ１０６による前記透光率制御層１０５の制御のさせ方を説明する。図４には、経時的にみた太陽電池１の最高出力の変化の状態を示している。横軸が期間、縦軸が最高出力Ｐである。なお、ここで用いる最高出力Ｐは、図６に示した太陽電池の出力特性を示した図における、Ｖｐ（出力電圧）、Ｉｐ（出力電流）の積が最大になる部分の出力Ｐとする。また、Ｖｏは開放電圧、Ｉｏは短絡電流である。
【００３３】
設置当初の太陽電池の最高出力をＰｏとし、経時的要素として、例として期間を１０年と見た場合に、１０年後の最高出力をＰＢ、太陽電池を構成する半導体の劣化に伴う最高出力の低下分をΔＰ（デルタＰ＝Ｐｏ−ＰＢ）とする。太陽電池としての最高出力を経時的に一定に保持するために、設置当初における最高出力を予めＰＢに保つよう制御する。
【００３４】
ここで、図５（ａ）に示したように、設置当初における透光率をτｏ、前記１０年後における透光率を第一の透光率τＢとした場合に、該第一の透光率τＢは、前記透光率制御層１０５における透光率を最大とするものであり、τｏは、前記太陽電池１の最高出力が、前記Ｐｏから、前記ΔＰを差し引いた出力ＰＢとなる透光率である。
【００３５】
太陽電池の出力Ｐと透光率τとの関係は、時間をｔ、Ａを定数として、透光率の時間変化に比例する、Ｐ  ∝  Ａ・τ（ｔ）と表せる。具体的には、透光率は、当初の値から、徐々に大きくなるよう制御するから、時間とともに増加するように
τ＝τｏ＋{（τＢ−τｏ）／（ｔＢ−ｔｏ）}・ｔ  と変化する。
τＢ、τｏ、定数Ａは、太陽電池に用いる透光率制御層としての液晶、偏光板、透明電極等の全体としての透光率を考慮する必要があるから、１０年後のＰＢと合わせて適宜定める。
【００３６】
このような単調的に透光率を増加させる制御を基本制御としたうえで、図５（ｂ）（ｃ）に示したように、時間ｔｃで、発電量が初期設定値であるＰＢから増加した場合には、比較部１０６３２にて発電量の増加分ΔＰ１を計測し、該発電量の増加分ΔＰ１を減少させるように、透光率を、Δτ１だけ小さくする制御を行う第二の制御を行う。
【００３７】
なお、発電量が初期設定値よりも小さくなる方向に変化する場合には、該初期設定値に近づくよう、発電量を大きくする方向に、透光率を大きくする制御を行う。
【００３８】
制御ＩＣ１０６による透光率の制御は、前記透光率制御層１０５に向けて電源出力部１０６２から印加する電圧を変化させることにより制御を行う。即ち、前記液晶層１０５５に接合される透明電極層１０５２、１０５４に印加する電圧を変化させることにより液晶の配向を変化させ、太陽電池における当初の最高出力が、当初の最高出力Ｐｏから半導体の経時的な劣化に伴う出力低下に伴う出力低下分を差し引いた出力ＰＢになるよう制御を行う。
【００３９】
また、前記制御ＩＣ１０６における透光率制御層１０５の制御のさせ方として、該透光率制御層１０５における、配向層に挟まれる液晶の特性、即ち、液晶分子の配向のさせ方により、電圧を印加しないときに透光率が大きくなるもの、電圧を印加するときに透光率が大きくなるもの等の特性に応じて、経時的に見た場合、印加する電圧を徐々に小さくしていく場合、印加する電圧を徐々に大きくしていく場合が想定される。このような場合には、太陽電池の出力Ｐから、制御ＩＣ駆動用の電源、透光率制御層の制御用電源の大きさの経時的変化を加味し、前記１０年後の出力ＰＢを設定するとよい。
【００４０】
なお、期間は１０年を例に挙げたが、製品としての太陽電池の出力を保証する期間や、太陽電池の取替推奨期間を想定して、１５年、５年など適宜想定する期間を定めて、そのときの出力ＰＢに応じて、透光率の変化をさせるよう制御を行うとよい。
【００４１】
（第２の実施形態）
次に、図８を用いて、太陽電池の第２の実施形態を説明する。第２の実施形態においては、第１の実施形態で説明した制御に加えて、長期的に見た気候変動などの傾向を、日照量が増加する方向若しくは日照量が減少する方向の連続する回数で予測し、発電量の初期設定値を前記予測に応じて増減させるよう制御するものである。
【００４２】
制御ＩＣ１０６には、第１の実施形態の構成に加えて、メモリ部１０６３３に、前記最高出力の値を調整した回数データ、発電量の制御内容データを蓄積し、最高出力の値の調整を行う都度、これらのデータを前記演算手段により確認する。
【００４３】
まず、時間ｔｃで、発電量が初期設定値であるＰＢから増加した場合（図８（ａ））には、比較部１０６３２にて発電量の増加分ΔＰ１を計測し、該発電量の増加分ΔＰ１を減少させるように、透光率を、Δτ１だけ小さくする制御を行う（図８（ｂ））。
【００４４】
図８（ａ）のように、発電量が、初期設定値ＰＢから、ΔＰ１、ΔＰ２、ΔＰ３の３回連続して増加した場合、制御ＩＣ１０６は、透光率制御層における透光率をΔτ１、Δτ２、Δτ３だけ減少させ、その都度、メモリ部１０６３３に制御回数データと透光率を減少させた、透光率を増加させたという制御内容データを蓄積していく。そして、透光率を減少させるという制御内容データが同じものが３回連続したことを比較部がメモリ部から読み取り確認した場合には、連続した制御内容と同じ制御を予め行う。
【００４５】
即ち、図８（ｂ）の場合では、透光率を予めΔτ４だけ減少させて、発電量の初期設定値をＰＢからΔＰ４だけ減少させる。長期的に見て、日照量が増加する方向に気候変動しているものと予測し、予め発電量を下げ、太陽電池の半導体層を過度な日照から保護し、安定した出力を行えるように制御する。
【００４６】
また、連続して発電量が減少するような場合には、透光率を増加させて、発電量の初期設定値をＰＢから増加させる。長期的に見て、日照量が減少する方向に気候変動しているものと予測し、予め発電量を上げ、太陽電池の半導体層が適度な日照を得られるようにし、安定した出力を行えるように制御する。
【００４７】
前述したΔＰ４（Δτ４）の大きさは、前記メモリ部に、過去に連続して変化した発電量の変化量データ（透過率の変化量データ）を蓄積しておき、変化した発電量（透過率）から演算して求めた平均的な発電量（透過率）を用いてもよい。これにより、発電量の変化分として、実際の気候変動に即した程度の大きさの変化分が得られ、太陽電池が設置される場所において適正な大きさの発電量の制御を行うことができる。
【００４８】
（制御対象となる太陽電池の種類について）
また、太陽電池に用いる半導体として、結晶系となる単結晶シリコン、多結晶シリコン、アモルファス系となるアモルファスシリコンに代表されるＩＶ族半導体、ＧａＡｓ、ＣｄＳ、ＣｕＩｎＳｅ２等、ＩＩＩ−Ｖ族、ＩＩ−ＶＩ族、Ｉ−ＩＩＩ−ＶＩ族などの化合物半導体、フタロシアニンなどの有機半導体を用いた太陽電池、また、湿式太陽電池に代表される色素増感太陽電池においても、本願における透光率制御層を設けて経時的に透光率を制御し、これら半導体等に照射される太陽光の大小を制御することにより、出力を制御することが可能である。この他、太陽光や照明などの光が照射されることにより発電が行われる電池であれば、太陽光や照明などの照射量を調整することにより制御が可能である。
【００４９】
また、前記導電性基板１０１上に設けた制御ＩＣ１０６について、該制御ＩＣと電極との電気的接続を微小ワイヤで接続してもよいし、導電性基板上にパターン配線を設けて接続してもよい。
【００５０】
また、太陽電池１を複数用いてモジュール化する場合には、図５に示したように太陽電池１を直列接続したり、並列接続して用いるとよい。図７（ａ）には、前記導電性基板１０１上に太陽電池１を複数形成した例を示している。それぞれの太陽電池は、前記導電性基板１０１上に形成された電極１０８にて接続されており、また、制御ＩＣ１０６はそれぞれの太陽電池に設けられている。モジュール同士を接続する場合には電極１０８を順次接続するとよい。
【００５１】
また、図７（ｂ）には、太陽電池１を複数形成し、これら太陽電池を１つの制御ＩＣにて制御する例を示している。この場合、制御ＩＣへの電源供給は一つの太陽電池から行ってもよいし、複数の太陽電池から行ってもよい。また、配線の効率化を図るため、制御ＩＣ１０６を基板の中ほどに設けている。
【００５２】
（他の例）
尚、本発明は、上記実施形態に限定されるものではなく、本発明の要旨を逸脱しない範囲で種々の変更が可能である。
【００５３】
例えば、第一の実施形態において、透光率制御層１０５には液晶を用いた例を示した。この液晶は、電圧の印加とともに、分子の配向が変化するものとして説明を行ったが、制御ＩＣにおける制御電力を減少させ、省電力化を図るため、例えば、電圧の印加を断っても液晶の配向状態が維持されるメモリ効果を有した強誘電性液晶を用いて構成してもよい。これにより、常に電圧を印加しておく必要がなくなり、前記１０年の間で、予め定めた所定の一定時間間隔毎に、短時間の電圧印加を行い、徐々に透光率を変化させていくことが可能である。
【００５４】
また、例として挙げた前記１０年後の出力ＰＢとして、該１０年後に見込まれる半導体の劣化に対して、所定の余裕量を設けて第一の実施形態で定めたＰＢよりもさらに低い出力量ＰＣを定めて、該ＰＣに対して、初期の透光率、経時後の透光率を定めて、制御してもよい。これにより、半導体の劣化が予想以上に進んだ場合や、経時的に透明電極層の透明度が低下した場合、また、透光率制御層の透光率が想定した変化よりも低くなった場合などにも、一定の出力は確保できるような太陽電池を構成できる。
【００５５】
また、複数の太陽電池を制御する場合において、制御する太陽電池と制御しない太陽電池を設けて、制御しない太陽電池は前記制御ＩＣ１０６の電源として用いるよう構成してもよい。
【００５６】
さらに、図７（ｃ）に示したように、制御ＩＣの回路パターンを、予め太陽電池に用いる半導体層に隣接させて作成し、太陽電池と一体化して制御ＩＣを設けてもよい。この場合は、制御ＩＣ用の電源接続のための配線を不要とでき、また、太陽電池と制御ＩＣを個別生産する場合と比較して生産の効率化が図れる。
【符号の説明】
【００５７】
１  太陽電池
１０１  導電性基板
１０２  金属電極層
１０３  半導体層
１０４  透明電極層
１０５  透光率制御層
１０５１  偏光板
１０５２  透明電極
１０５３  透明電極
１０５４  配向層
１０５５  配向層
１０５６  液晶
１０５７  偏光板
１０６  制御ＩＣ
１０６１  電源入力部
１０６２  電源出力部
１０６３  比較演算部
１０６３１  発電量計測部
１０６３２  比較部
１０６３３  メモリ部
１０６３４  タイマー部
１０７  集電電極
【図１】
0005618233.tif 000002
【図２】
0005618233.tif 000003
【図３】
0005618233.tif 000004
【図４】
0005618233.tif 000005
【図５】
0005618233.tif 000006
【図６】
0005618233.tif 000007
【図７】
0005618233.tif 000008
【図８】
0005618233.tif 000009